(57)【特許請求の範囲】
【請求項１】
内部にランプが収容され前面が開口した箱状の本体の前面開口部の周縁部の一辺に配置された蝶番により、ガラス板よりなる前蓋が本体に開閉可能に取り付けられ、前面開口部の周縁部に、閉じてきた前蓋を本体の所定の位置に緩やかに導くよう前蓋の周縁部と当接するテ−パ−が付された傾斜面を有する複数の弾性の緩衝部材が配置されていることを特徴とする照明器具。
【請求項２】
緩衝部材が本体の前面開口部の周縁部の蝶番を挟んで両側辺に少なくとも２個づつ配置されている請求項１に記載の照明器具。
【請求項３】
緩衝部材の傾斜面の下方が、閉じた状態の前蓋の縁部より突出し、所定の位置に納まった閉じた状態の前蓋が不用意に開くのを阻止するようになされている請求項１又は２に記載の照明器具。
【請求項４】
緩衝部材に隣接して、閉じた状態の前蓋を固定する固定部材が配置され、緩衝部材の一部が固定部材と当接し摩擦により、一旦外方に移動させた固定部材が不用意に内方に移動しないように規制している請求項１から３のいづれか一つに記載の照明器具。
【発明の詳細な説明】
【０００１】
【発明の属する技術分野】
本発明は照明器具、殊にガラス板製の前蓋を有する照明器具に関する。
【０００２】
【従来の技術】
例えば駐車場やライトアップ等の屋外での照明用に、図１０のようにランプ５０が収納されている金属製の箱状の本体５１の前面開口部がガラス板製の前蓋５２により閉塞されている投光器タイプの照明器具が使用されている。ガラス板製の前蓋はランプ交換等のため開閉自在となされ、そのためにガラス板５３の周囲は金属製等の枠体５４に固定され、この枠体が蝶番５５により本体と連結されている。
【０００３】
【発明が解決しようとする課題】
ガラス板を枠体に固定するとコストが上昇し加工の手間もかかる。そこでガラス板を直接蝶番に取り付け、本体の前面開口部の周辺に配置した固定金具で閉じた状態のガラス板を固定する方法が試みられている。
【０００４】
しかし、この方法によると、前面開口部を上側にして照明する場合のランプ交換時や、照明器具を設置する前にテ−ブル等の上に置いてを前面開口部を上にしてガラス板製の前蓋を開いてランプを取付ける際などに、前蓋に何かが触れたり、前蓋を閉める際に手が滑って前蓋がバタンと自重でかなりの勢いで閉じてしまうことがある。このとき、一般に蝶番には多少の遊びがあるので、前蓋が蝶番から離れた箇所では例えば５ｍｍから１ｃｍ程度ずれて、金属製の本体の前面開口部の周縁部にガラス板の周縁部が当たってガラス板が破損することがある。
【０００５】
また、前蓋を開くために、本体の開口部周辺に配置した金属製の固定金具を一旦外方に移動させたが、固定金具に何にかが触れて固定金具が内方に移動して、これに閉じてきたガラス板がぶつかって破損することもあった。
【０００６】
本発明は、ランプの交換等中に誤ってガラス製の前蓋が閉じても、ガラスが破損しないような照明器具を提供することを目的としている。
【０００７】
【課題を解決するための手段】
本発明の照明器具は、内部にランプが収容され前面が開口した箱状の本体の前面開口部の周縁部の一辺に配置された蝶番により、ガラス板よりなる前蓋が本体に開閉可能に取り付けられ、前面開口部の周縁部の蝶番を挾んで両側辺に、閉じてきた前蓋を本体の所定の位置に緩やかに導くよう前蓋の周縁部と当接するテ−パ−が付された傾斜面を有する複数の弾性の緩衝部材が配置されていることを特徴とする。
【０００８】
また緩衝部材の傾斜面の下方が、閉じた状態の前蓋の縁部より突出し、所定の位置に納まった閉じた状態の前蓋が不用意に開くのを阻止するようになされていることを特徴とする。
【０００９】
さらに緩衝部材に隣接して、閉じた状態の前蓋を固定する固定部材が配置され、緩衝部材の一部が固定部材と当接し摩擦により、一旦外方に移動させた固定部材が不用意に内方に移動しないように規制していることを特徴とする。
【００１０】
【発明の実施の形態】
図１において、照明器具１は、ランプ２が収納され前面が開口した金属製の箱状の本体３の前面開口部がガラス板４ａよりなる前蓋４により閉塞され、ガラス板４ａの一部分４ｂは透明になされている。ガラス板４ａは蝶番５により本体３に開閉自在に取り付けられ、本体３の蝶番５の取付けられている辺と対向する反対の辺側には支持具６が配置されている。
【００１１】
本体３の前面開口部の周縁部３ａの、蝶番５を挾んで両側辺の４箇所には閉じた状態の前蓋４を固定する固定部材７と、前蓋４が誤ってバタンと閉じた時にガラス板４ａの破損を防止する緩衝部材８が配置されている。固定部材７は図２のように金属製のコ字形の摺動部７ａを有し、摺動部７ａにはネジ７ｂと係合する長穴７ｃが形成されている。ネジ７ｂは本体３の前面開口部の周縁部３ａに配置された突出部３ｂに穿たれたネジ穴３ｃ（図４）に螺合する。
【００１２】
固定部材７に隣接して本体３の突出部３ｂ上に配置されている緩衝部材８はゴム、プラスチック等の弾性材からなり図３のような形状をしており、ネジ穴８ａを貫通し本体３の突出部３ｂのネジ穴３ｄ（図４）に螺合するネジ８ｂにより本体３の突出部３ｂに固定されている。緩衝部材８のガラス板４ａの縁部４ｃ（図６、図９）と当接する面８ｃにはテ−パ−が付され、上方から下方に向かって末広がり状に傾斜した傾斜面となされている。また緩衝部材８の底部には位置決めのため、本体３の突出部３ｂの凸条３ｅ（図４）と係合する溝８ｄ（図３）が設けられている。
【００１３】
緩衝部材８及び固定部材７を本体３に取り付けるには、図４の状態の本体３の周縁部３ａの突出部３ｂに、図５のように緩衝部材８をネジ８ｂによりネジ止め固定する。緩衝部材８が固定された状態では、図６のように緩衝部材８の傾斜面８ｃの下方はガラス板４ａの縁部４ｃより突出し、縁部４ｃより少し入り込んでいる状態になる（図９）。最後に図７のように固定部材７の摺動部７ａをネジ７ｂで固定する。固定部材７を固定した状態の断面は図８のようである。なお前面開口部の周縁部３ａには図４、５、８、９のように防水及び衝撃吸収の為のパッキン９が配置されている。
【００１４】
ガラス板４ａを開くときは、ネジ７ｂを緩めて摺動部７ａを外方にスライドさせる。また閉じた状態にあるガラス板４ａを固定するときは、摺動部７ａを内方にスライドさせてネジ７ｂを締めて固定する。なお、摺動部７ａの側部は緩衝部材８の側部８ｅ（図３、７）と摩擦接触するようになされ、一旦外方に移動させた摺動部７ａが不用意に内方に移動しないようになされている。
【００１５】
ガラス板４ａを閉じする際、緩衝部材８のテ−パ−が付された傾斜面８ｃが、閉じてくるガラス板４ａの縁部４ｃと当接して、ガラス板４ａの閉じる速度を緩めて案内しながらゆっくり、本体３の前面開口部の周縁部３ａに着座するようにする。ことに手が滑って誤ってガラス板４ａが自重により勢いよく閉まりだした場合でも、緩衝部材８が閉じる速度を緩めて、本体３の周縁部３ａの所定の位置に案内しながらゆっくり着座させるので、蝶番５に多少遊びがあってもガラス板４ａが破損することはない。
【００１６】
緩衝部材８の設置場所は、本体３の周縁部３ａの蝶番５を挟んで両側辺や蝶番５と対向する辺が好ましい。また数はガラス板４ａの大きさ及び重量により異なるが、複数個、好ましくは少なくとも２個配置されているのがよい。例えば、蝶番５を挟んで両側辺に１乃至２個づつでも、蝶番５を挟んで両側辺に１個づつで蝶番５と対向する辺に１個でもよい。
【００１７】
例えば図示のように蝶番５を挟んで両側辺に２個づつ配置されている場合、誤ってガラス板４ａが勢いよく閉まりだすと、蝶番５に近い方の緩衝部材８により先ず衝撃が吸収されて速度が緩められながら案内され、次に蝶番５から遠い方の緩衝部材８によりさらに速度が緩められて、本体３の周縁部３ａにゆっくり着座するようになる。
【００１８】
緩衝部材８のテ−パ−が付された傾斜面８ｃと当接しながら傾斜面８ｃの下方に移動し本体３の周縁部３ａに着座したガラス板４ａは、傾斜面８ｃの下方が縁部４ｃより出ているので不用意に開くようなことがない。勿論、手でガラス板４ａを開くなど強い力がかかったときは、緩衝部材８はゴム等の弾性材で作られているので、縁部４ｃより出ている傾斜面８ｃの下方は容易に後退しガラス板４ａを開くのを邪魔をするようなことはない。
【００１９】
なお、緩衝部材は固定部材と隣接して配置せずに離して別に配置してもよい。
【００２０】
【発明の効果】
本発明の照明器具は、緩衝と案内を兼ねた弾性の緩衝部材を具備しているので、ランプの交換中等に誤ってガラス製の前蓋が閉じても、ガラスが破損しない。
【００２１】
また緩衝部材の傾斜面の下方が、閉じた状態の前蓋の縁部により突出しているので、万一固定部材が固定されていなくても、所定の位置に納まった前蓋が不用意に開くのが阻止される。
【００２２】
さらに緩衝部材が固定部材に近接して配置され、緩衝部材の一部が固定部材と当接し摩擦接触するようになされていると、一旦外方に移動させた固定部材が不用意に内方に移動しない。
【図面の簡単な説明】
【図１】本発明の照明器具の全体図。
【図２】固定部材及び緩衝部材付近の拡大図。
【図３】緩衝部材を示す図。
【図４】固定部材及び緩衝部材の取り付け過程を示す図。
【図５】固定部材及び緩衝部材の取り付け過程を示す図。
【図６】固定部材及び緩衝部材の取り付け過程を示す図。
【図７】固定部材及び緩衝部材の取り付け過程を示す図。
【図８】固定部材付近の断面図。
【図９】緩衝部材付近の断面図。
【図１０】従来の照明器具を示す図。
【符号の説明】
１  照明器具
２  ランプ
３  本体
４  前蓋
５  蝶番
７  固定部材
８  緩衝部材
【図１】
0004036248.tif 000002
【図２】
0004036248.tif 000003
【図３】
0004036248.tif 000004
【図４】
0004036248.tif 000005
【図５】
0004036248.tif 000006
【図６】
0004036248.tif 000007
【図７】
0004036248.tif 000008
【図８】
0004036248.tif 000009
【図９】
0004036248.tif 000010
【図１０】
0004036248.tif 000011